(57)【要約】【課題】  従来の空気調和機では、吹出口から直接吸込口へ空気が流れ込んでしまうショートサーキットが生じ、吹き出す空気量が不十分であるという課題があった。【解決手段】  少なくとも吸込口１０６を閉鎖するように覆うパネル１１４と、を備え、パネル１１４が少なくとも筐体１０１より離間する方向に駆動し、パネル１１４の吸込対向面の上端１１４ｂが風向板１１３の風下側の端部よりも吹出空気の上流側に位置することを特徴とする。これにより、ショートサーキットの発生を防止しつつ、吸込口から吸い込む空気量にあわせて吸込口１０６とパネル１１４との間の距離を制御することで、大きな風量で運転できる高性能な空気調和機１００を実現できる。【選択図】図１
2020041715.tif 000002
【特許請求の範囲】
【請求項１】
少なくとも正面を覆う筐体と、前記正面に設けられた吸込口と、前記吸込口より上方に設けられた吹出口と、前記筐体の内部に略水平な回転軸を有するクロスフローファンと、前記クロスフローファンの上方に設けられたリアガイダと、前記クロスフローファンに近接した舌部を有するスタビライザと、前記吹出口から吹き出す空気の流れを制御する風向板と、少なくとも前記吸込口を閉鎖するように覆うパネルと、を備え、前記パネルが少なくとも前記筐体より離間するように駆動し、前記パネルの上端が前記風向板の風下側の端部よりも吹出空気の上流側に位置することを特徴とする空気調和機。
【請求項２】
前記風向板が略水平な回転軸を有し、少なくとも前記吹出口を閉鎖するように覆うことを特徴とする請求項１に記載の空気調和機。
【請求項３】
前記吹出口に第２の風向板を備え、前記風向板と前記第２の風向板のうち下方に設けられた板の風下側の端部よりも、前記パネルの上端が吹出空気の上流側に位置することを特徴とする請求項１又は２のいずれかに記載の空気調和機。
【請求項４】
前記第２の風向板の上面と、前記スタビライザの上面と、が連続して設けられていることを特徴とする請求項３に記載の空気調和機。
【請求項５】
前記吸込口の吸込口間距離Ａを有し、前記パネルの前記吸込口に対向する面の上端と前記吸込口との対向距離Ｂ１と、前記パネルの前記吸込口に対向する面の下端と前記吸込口との対向距離Ｂ２と、により対向距離Ｂ＝０．５×（Ｂ１＋Ｂ２）が定まり、Ｂ／Ａ＞０．２５となることを特徴とする請求項１〜４のいずれかに記載の空気調和機。
【請求項６】
前記吸込口の吸込口間距離Ａを有し、前記パネルの上端又は下端付近に略水平方向の回転軸を設け、前記パネルが回転駆動し、前記パネルが少なくとも前記筐体より離間するように駆動する空気調和機において、前記パネルの前記吸込口に対向する面の下端又は上端のうち前記回転軸を設けていない端部と前記吸込口との対向距離Ｂ３により対向距離Ｂ＝０．５×Ｂ３とし、Ｂ／Ａ＞０．２５となることを特徴とする請求項１〜４のいずれかに記載の空気調和機。
【発明の詳細な説明】
【技術分野】
【０００１】
本発明は、吸込口が吹出口よりも下方に設けられ、少なくとも吸込口を閉鎖するパネルが、少なくとも筐体から離間する方向に駆動し、パネルの上端が風向板の風下側の端部よりも吹出空気の上流側に位置する空気調和機に関する。
【背景技術】
【０００２】
一般に、吸込口と吹出口を有する筐体内に通風させる送風回路を形成し、この送風回路内にクロスフローファンを備え、クロスフローファンの上流近傍に熱交換器を配し、クロスフローファンの回転によって発生する空気の流れを制御するために、リアガイダと、スタビライザとを備える室内ユニットを有する空気調和機が知られている。前述の空気調和機では、クロスフローファンの回転によって吸込口から吸い込んだ空気を熱交換器によって熱交換した後、吹出口より吹き出すことで室内空気の温度調整を行っている。このように送風回路が形成されているが、クロスフローファン内部における空気の流れとして、クロスフローファンを通過して吹出口から吹き出される流れ（主流）と、クロスフローファンとスタビライザの間で発生して、スタビライザの先端で渦状に循環する流れ（渦流）が存在する。
【０００３】
ここで、従来の室内ユニットの一例として、特許文献１に開示されている空気調和機１について、図６を用いて説明する。空気調和機１は、空気流れを生成するクロスフローファン２と、正面側熱交換部３と背面側熱交換部４とを含み空気流れ上流側に配置される熱交換器５と、熱交換器５の上流側に配置されるフィルタ６と、フィルタ６の正面側に位置する正面パネル７と、クロスフローファン２の回転中心であるファン中心点Ｃよりも高い位置に吸込口８ａを設け、ファン中心点Ｃよりも低い位置に吹出口８ｂを設けたケーシング８と、を備え、縦断面視において、正面側熱交換部の下部３ａおよびフィルタの下部６ａは、ファン中心点Ｃよりも下に位置し、ファン中心点Ｃを通る水平線を、ファン基準水平線Ｌ１とし、正面側熱交換部の下部３ａとファン中心点Ｃとを通る直線のうち最もファン基準水平線Ｌ１と為す角度が大きい直線ＳＬ３と、ファン基準水平線Ｌ１とが為す角度を、熱交換器下部角度θｃとし、フィルタの下部６ａとファン中心点Ｃとを通る直線のうち最も前記ファン基準水平線Ｌ１と為す角度が大きい直線ＳＬ５と、ファン基準水平線Ｌ１とが為す角度を、フィルタ下部角度θｅとしたときに、第１式：θｅ＞（θｃ×０．４）を満たすように、且つ、ファン中心点Ｃの高さ位置での、クロスフローファン２と正面側熱交換部３との隙間距離である第１距離Ｄ１、正面側熱交換部３とフィルタ６との隙間距離である第２距離Ｄ２およびフィルタ６と正面パネル７との隙間距離である第３距離Ｄ３が、第２式：Ｄ３＞Ｄ２＞Ｄ１を満たすように、クロスフローファン２、熱交換器５、フィルタ６および正面パネル７が配置されている。
【０００４】
空気調和機１は、ファン中心点Ｃよりも高い位置にある吸込口８ａから室内の空気を吸い込むが、正面側熱交換部の下部３ａ及びフィルタの下部６ａは、ファン中心点Ｃよりも低い位置に設けられている。したがって、従来の方法では、正面側熱交換部の下部３ａを通過する空気の量が少なくなり、熱交換器５の全体を有効に活用することができなくなる。そのため、第１式を満たすようにフィルタの下部６ａを低い位置まで延ばし、そのフィルタの下部６ａを通って空気が正面側熱交換部の下部３ａに向かう流路を確保することを目論んでいる。さらに、３つの隙間距離が第２式を満たすように、クロスフローファン２、熱交換器３、フィルタ６および正面パネル７を配置して、空気調和機の奥行き寸法を抑えつつ、フィルタ６と正面パネル７との隙間（隙間距離が第３距離Ｄ３）を通って吸込口８ａからフィルタの下部６ａおよび正面側熱交換部の下部３ａへと流れていく空気流路の圧力損失を小さくしている。これにより、正面側熱交換部の下部３ａを通過する空気の量が十分に確保されるようになり、熱交換器５の全体が有効に活用されることを目論んでいる。
【先行技術文献】
【特許文献】
【０００５】
【特許文献１】特開２０１５−１２４９８６号公報
【発明の概要】
【発明が解決しようとする課題】
【０００６】
しかしながら、特許文献１に係る空気調和機１では、正面パネルは熱交換器の一部を覆うのみである。したがって、ケーシング上方が開放されている状態に限り、所定の風量を吸い込むことができるものであり、正面パネルが延長され大型化する構成や、ケーシング上面と天井との距離が接近する設置状況では、ケーシング上方からの吸い込み気流の流れが妨げられ、吸込風量の不足を起こす。そのため、特許文献１に係る空気調和機１はケーシング上面側に大きな空間を設ける必要がある。
【０００７】
そこで、吹出口よりも下側に吸込口を設け、吸込口から吸い込まれる風量を確保する形状が考えられる。しかし、この形状の場合、吹出口から吹き出された空気が室内を循環せず直接吸込口で吸い込まれてしまうショートサーキットが生じ、十分な風量を確保できないという問題がある。さらには、ショートサーキット防止のため、風向板の向きに制限があり、使用者のいる下方へ向けて空気を吹出口より吹き出すことができないという制約がある。
【０００８】
本発明は、上記の問題点に鑑みてなされたものであって、少なくとも正面を覆う筐体と、前記正面に設けられた吸込口と、前記吸込口より上方に設けられた吹出口と、前記吹出口から吹き出す空気の流れを制御する風向板と、少なくとも前記吸込口を閉鎖するパネルと、を備え、前記パネルが少なくとも前記筐体より離間する方向に駆動し、前記パネルの上端が前記風向板の風下側の端部よりも吹出空気の上流側に位置することを特徴とすることで、吸い込む風量を確保しつつ、吹出口から直接吸込口へ流れ込むショートサーキットを防止できる空気調和機を提供することを目的とする。
【課題を解決するための手段】
【０００９】
本発明の空気調和機は、少なくとも正面を覆う筐体と、前記正面に設けられた吸込口と、前記吸込口より上方に設けられた吹出口と、前記筐体の内部に略水平な回転軸を有するクロスフローファンと、前記クロスフローファンの上方に設けられたリアガイダと、前記クロスフローファンに近接した舌部を有するスタビライザと、前記吹出口から吹き出す空気の流れを制御する風向板と、少なくとも前記吸込口を閉鎖するパネルと、を備え、前記パネルが少なくとも前記筐体より離間する方向に駆動し、前記パネルの上端が前記風向板の風下側の端部よりも吹出空気の上流側に位置することを特徴とする。
【００１０】
これにより、吸込口とパネルとの間に空気の流路である吸込流路が形成され、吸い込まれる空気の風量を確保することができるとともに、パネルの上端が、風向板の風下側の端部よりも吹出空気の上流側に位置するため、ショートサーキットの発生を防止することができる。
【発明の効果】
【００１１】
本発明に係る空気調和機は、ショートサーキットの発生を防止しつつ、吸込口から吸い込む空気量にあわせて吸込口とパネルとの間の距離を制御することで、大きな風量で運転できる高性能な空気調和機を実現できる。
【図面の簡単な説明】
【００１２】
【図１】本発明の実施の形態１に係る空気調和機の構成の一例を示す断面図
【図２】本発明の実施の形態１に係るＢ／Ａの値に対するクロスフローファンの回転数変化図
【図３】本発明の実施の形態２に係る空気調和機の構成の一例を示す断面図
【図４】本発明の実施の形態３に係る空気調和機の構成の一例を示す断面図
【図５】本発明の実施の形態４に係る空気調和機の構成の一例を示す断面図
【図６】特許文献１に係る空気調和機を示す断面図
【発明を実施するための形態】
【００１３】
第１の発明は、少なくとも正面を覆う筐体と、前記正面に設けられた吸込口と、前記吸込口より上方に設けられた吹出口と、前記筐体の内部に略水平な回転軸を有するクロスフローファンと、前記クロスフローファンの上方に設けられたリアガイダと、前記クロスフローファンに近接した舌部を有するスタビライザと、前記吹出口から吹き出す空気の流れを制御する風向板と、少なくとも前記吸込口を閉鎖するパネルと、を備え、前記パネルが少なくとも前記筐体より離間する方向に駆動し、前記パネルの上端が前記風向板の風下側の端部よりも吹出空気の上流側に位置することを特徴とする空気調和機である。
【００１４】
これにより、吸込口とパネルの間に空気の流路である吸込流路が形成され、吸い込まれる空気の風量を確保することができるとともに、駆動するパネルの上端が、風向羽根の風下側の端部よりも吹出空気の風上側に位置するため、ショートサーキットの発生を防止することができる。
【００１５】
第２の発明は、特に、第１の発明の空気調和機において、前記風向板が略水平な回転軸を有し、少なくとも前記吹出口を閉鎖することを特徴とするものである。
【００１６】
これにより、空気調和機が稼働していない状態では、風向板が吹出口を覆い、パネルが吸込口を覆うため、正面から見た際、風向板とパネルとが視認可能な形状となる。したがって、風向板とパネルとに一様な色彩を施しておけば、空気調和機の少なくとも正面側が均一に見えるため意匠性も向上し、使用者が感じる圧迫感を低減できる。
【００１７】
第３の発明は、第１の発明又は第２の発明の空気調和機において、前記吹出口に第２の風向板を備え、前記風向板と前記第２の風向板のうち下方に設けられた風向板の風下側の端部よりも、前記パネルの上端が吹出空気の風上側に位置することを特徴とするものである。
【００１８】
これにより、上方に設けられた風向板又は第２の風向板は構造上の自由度が高くなり、使用状況に合わせた方向にすることができる。すなわち、例えば、第２の風向板でショートサーキットを防止し、もう一方の風向板を下方に向けることで下方へ熱交換後の空気を送り込むことが可能である。
【００１９】
第４の発明は、特に第３の発明の空気調和機において、前記第２の風向板の上面と、前記スタビライザの上面と、が連続して設けられていることを特徴とするものである。
【００２０】
これにより、吸い込まれた空気のうち吹出口の下端側を沿う成分も、第２の風向板を沿って吹き出されるため、ショートサーキットを生じることがない。したがって、さらに効率良くショートサーキットを防止できる。
【００２１】
なお、第２の風向板の上面とスタビライザの上面と、が連続して設けられるということは、第２の風向板の上面とスタビライザの上面との間に別の部材が含まれるものも含む。
すなわち、スタビライザの上面を沿って吹き出される吹出空気のうち、少なくとも下方側の空気が、第２の風向板よりも上方を通るように構成すればよい。
【００２２】
また、第２の風向板の上面に限らず、吹出口の最も下方に備えられた風向板の上面とスタビライザの上面とが連続していればよい。すなわち、第２の風向板の代わりに風向板の上面が連続するように設けてもよいし、必要に応じて、第３、第４の風向板を設けてもよい。
【００２３】
第５の発明は、第１〜４の発明の空気調和機において、前記吸込口の吸込口間距離Ａを有し、前記パネルの前記吸込口に対向する面の上端と前記吸込口との対向距離Ｂ１と、前記パネルの前記吸込口に対向する面の下端と前記吸込口との対向距離Ｂ２と、により対向距離Ｂ＝０．５×（Ｂ１＋Ｂ２）が定まり、Ｂ／Ａ＞０．２５となることを特徴とするものである。
【００２４】
これにより、クロスフローファンの回転数の変化が穏やかな領域で空気調和機を運転することができる。そのため、パネルと吸込口との対向距離Ｂが駆動誤差等でばらついたとしても、騒音や風量の変化が少なく、それらの影響を抑え、安定した運転が可能になる。
【００２５】
第６の発明は、第１〜４の発明の空気調和機において、前記吸込口の吸込口間距離Ａを有し、前記パネルの上端又は下端付近に略水平方向の回転軸を設け、前記パネルが回転駆動し、前記パネルが少なくとも前記筐体より離間するように駆動し、前記パネルの前記吸込口に対向する面の又は上端のうち前記回転軸を設けていない端部と前記吸込口との対向距離Ｂ３により対向距離Ｂ＝０．５×Ｂ３とし、Ｂ／Ａ＞０．２５となることを特徴とするものである。
【００２６】
これにより、パネルの開閉が簡易な形態で実現でき、かつ、例えば、パネルの上端に回転軸を設ける場合、パネルの上端側でのショートサーキットを効率よく防止することができる。また、パネルの上端に回転軸を設ける場合、使用者が空気調和機から離れた位置から視認した際に目立つ吸込口の上側を晒すことがない。したがって、運転時にパネルが駆動しても筐体内部のフィルタや熱交換器が使用者から視認されることがなく、意匠性面において優れる。
【００２７】
以下、本発明の各実施形態について、図面を参照して詳細に説明する。なお、以下に説明する各実施形態は一例であり、本発明は各実施形態により限定されるものではない。
（実施の形態１）
図１は、本実施形態に係る空気調和機１００の構成の一例を示す断面図である。
【００２８】
空気調和機１００は、図１に示すように、背面１０２と側面１０３と上面１０４と正面１０５とで構成された筐体１０１を備え、正面１０５の下方に吸込口１０６を有し、正面１０５のうち吸込口１０６より上方に吹出口１０７を有している。また、筐体１０１の内部に略水平な回転軸をもつクロスフローファン１０８と、クロスフローファン１０８に近接した舌部１０９ａを有するスタビライザ１０９と、クロスフローファン１０８の上方に設けられたリアガイダ１１０と、を備え、通風路を形成している。さらに、クロスフローファン１０８の上流側に配置した熱交換器１１１と、クロスフローファン１０８の下方でかつ熱交換器１１１の下側に水受皿１１２と、吹出口１０７に配置した風向板１１３と、吸込口１０６の上流側に配置したパネル１１４と、を備えている。
【００２９】
図１において、破線で示すように、空気調和機１００の停止時には、パネル１１４は吸込口１０６を閉塞する。また、空気調和機１００の運転時には、パネル１１４は、筐体１０１から離間する方向に駆動する。このとき、パネル１１４の上端が、長鎖線で示した下方に設けられた風向板の下流側端部から引いた鉛直線Ｚで示した風向板１１３の下流端から鉛直下向きに引いた直線よりも吹出空気の上流側、すなわち空気調和機１００側に位置する。また、図１において、一点鎖線で示すように、空気調和機１００の停止時には、風向板１１３は吸込口１０６を閉塞する配置を構成する。一方、空気調和機１００の運転時には、風向板１１３は略水平方向に設けられた風向板回転軸１１３ａにより回動し、吹出口１０７から吹き出す気流の方向を制御する。さらに、風向板回転軸１１３ａを上下方向に稼働可能に設計することで、空気調和機１００の稼働時に、風向板１１３を吹出口１０７の下端側に近づけ、ショートサーキットを効率よく防止できる。なお、本実施例のように風向板１１３が風向板回転軸１１３ａで駆動する形態でも、風向板１１３が固定されている形態でもよい。
【００３０】
このとき、吸込口１０６の略鉛直方向の吸込口間距離Ａと、パネル１１４の吸込口１０６に対向する吸込対向面の上端１１４ｂと吸込口１０６との対向距離Ｂ１と吸込対向面の下端１１４ｃと吸込口１０６との対向距離Ｂ２との平均、すなわちＢ＝０．５×（Ｂ１＋Ｂ２）である対向距離ＢがＢ／Ａ＞０．２５となる範囲で制御される。Ｂ／Ａ＞０．２５となる範囲で制御することにより、クロスフローファンの回転数の変化が比較的穏やかな領域で運転でき、騒音や風量の変化を抑制することができる。
【００３１】
なお、図１には、パネル１１４が平面で形成されたものを示したが、パネル１１４が曲面で形成されたものを用いてもよい。パネル１１４の吸込対向面１１４ａが曲面の場合には吸込対向面１１４ａと吸込口１０６との距離の略平均を対向距離Ｂとする。
【００３２】
また、パネル１１４の吸込口１０６に対向する吸込対向面１１４ａと吸込口１０６との対向距離Ｂは、吸込口１０６が構成される正面１０５より上流側に吸込口１０６に流入する空気に含まれる塵埃を捕集するフィルタ等が備えられる場合。対向距離Ｂ１及びＢ２は、吸込対向面１１４ａとフィルタ等との距離で管理される。
【００３３】
空気調和機１００は、パネル１１４が無い状態と比較した場合、吸込口間距離Ａと対向距離Ｂから算出されるＢ／Ａの値の変化に対して、送風性能が指数関数的に変化する。吸込口間距離Ａと対向距離Ｂから算出されるＢ／Ａ値の変化に対する送風性能の変化の一例として、Ｂ／Ａ値に対するクロスフローファン１０８の回転数変化を、図２に示す。図２では、吸込口間距離Ａの空気調和機１００において、パネル１１４の吸込口１０６に対向する吸込対向面１１４ａと吸込口１０６との対向距離Ｂを変化させた時に所定の風量を吹き出すために必要なクロスフローファン１０８の回転数を相対値で示している。すなわち、パネル１１４が無い状態（Ｂ／Ａ＝∞）のクロスフローファン１０８の回転数を１とした時の回転数比で示す。つまり、図２において、横軸はＢ／Ａの値、縦軸は前述のクロスフローファン１０８の回転数比である。
【００３４】
図２に示すように、Ｂ／Ａの値が小さくなるにつれ、所定の風量を吹き出すために必要なクロスフローファン１０８の回転数比は指数関数的に増大する。ここで、吸込口間距離Ａが一定の大きさである空気調和機１００では、Ｂ／Ａの値は対向距離Ｂにより一意的に定まる。つまり、対向距離Ｂを狭くなるにつれて、クロスフローファン１０８の回転数比は増大する。特にＢ／Ａの値がＢ／Ａ＜０．２５となる領域では、クロスフローファン１０８の回転数比の変化が急峻になる。一方、Ｂ／Ａ＞０．２５となる領域では、クロスフローファン１０８の回転数比の変化が比較的緩やかな領域で運転することができる。パネル１１４を駆動させた場合、パネル１１４と吸込口１０６との対向距離Ｂが駆動誤差等でばらつくことがある。Ｂ／Ａ＞０．２５となる領域では、クロスフローファン１０８の回転数比の変化が緩やかである。そのため、このようなばらつきが生じた場合においても、クロスフローファン１０８の必要な回転数と実際の回転数との間に大きな差が生じることや回転数を大きく変える必要性がない。したがって、騒音や風量の変化による影響を抑えることができ、空気調和機１００を使用する際やパネル１１４の駆動時においてクロスフローファン１０８により生じる騒音を防止でき、安定した風量で運転することできるという効果が得られる。
【００３５】
また、風向板１１３は、空気調和機１００の運転時には、略水平方向に設けられた風向板回転軸１１３ａが任意方向へ駆動し、図１に示すように、吹出口１０７と、吹出口１０７の下方に構成される吸込口１０６との間に、風向板１１３が配置されることで、吹出口１０７から吹き出される気流が吸込口１０６へ直接流入するショートサーキットを抑制し、筐体１０１の前面から略水平方向へ効率的に気流を吹き出すことができ、快適な室内気流が形成できる。
（実施の形態２）
図３は、本実施形態に係る空気調和機２００の構成の一例を示す断面図である。図３において、実施の形態１と共通の要素については、共通の符号を付している。
【００３６】
空気調和機２００は、図３に示すように、吸込対向面の上端１１４ｂと吸込口１０６との対向距離Ｂ１と、吸込対向面の下端１１４ｃと吸込口１０６との対向距離Ｂ２とが、Ｂ１≠Ｂ２となり、本実施形態ではＢ１＜Ｂ２となる。この時、対向距離Ｂを、Ｂ＝０．５×（Ｂ１＋Ｂ２）とする。
【００３７】
これにより、正面１０５とパネル１１４とが任意の角度を持ち、Ｂ１＜Ｂ２の場合、パネル１１４の上側から吸込口１０６へ吸い込む空気量に比べ、パネル１１４の下側から吸込口へ吸い込む空気量の方が割合として多くなる。そのため、吹出口１０７から吹き出される気流がパネル１１４の上端と風向板１１３との間を通過して吸込口１０６へ直接流入するショートサーキットの影響をより効率よく緩和し、快適な室内気流を形成できる。また、実施の形態１と同様に、パネル１１４と吸込口１０６との対向距離Ｂが駆動誤差等でばらついた場合においても、クロスフローファン１０８により生じる騒音を防止し、安定した風量で運転することできるという効果が得られる。
【００３８】
なお、吸込対向面の上端１１４ｂと吸込口１０６との対向距離Ｂ１と、吸込対向面の下端１１４ｃと吸込口１０６との対向距離Ｂ２とが、Ｂ１＞Ｂ２となってもよい。Ｂ１＞Ｂ２となる場合、吸込対向面の上端１１４ｂが風向板１１３の風下側の端部よりも吹出空気の上流側に位置することで、吹出口１０７から吸込口１０６へ直接流入するショートサーキットを同様に抑制する。ここで、パネル１１４の下側から吸込口１０６へ流入する空気は、吸込口１０６と吸込対向面１１４ａの間で向きが変化する。一方、パネル１１４の上側から吸込口１０６へ流入する空気は、正面から見てパネル１１４の上端と吸込口１０６の上端に挟まれる領域で、吸込口１０６に略直線的に、すなわち乱れが少なく流入する。すなわち、パネル１１４の上側から吸込口１０６へ吸い込まれる乱れの少ない空気の割合が、パネル１１４の下側から吸込口１０６へ吸い込まれる乱れの大きな曲線的な空気の流れの割合よりも増し、吸込口１０６近傍における気流の方向変化や乱れの緩和、騒音や入力の低減効果が得られる。また、Ｂ１＞Ｂ２とすると略直線的な空気の流れにより効率よく空気を吸い込めるため、より大きな風量を確保することができる。
【００３９】
続いて、パネル１１４の駆動経路について説明する。空気調和機２００の停止時には、パネル１１４は、図３の点線部で示す領域に位置する。すなわち、Ｂ１＝Ｂ２である。空気調和機２００が運転を開始すると、Ｂ１＜Ｂ２の状態で、パネル１１４が吹出空気の上流側にせり出すように移動する。すなわち、パネル１１４は図３の実線で示す領域に位置する。さらに、風量を確保する場合には、Ｂ１＜Ｂ２の関係式を維持したまま、パネル１１４は吹出空気の下流側方向へせり出し、パネル１１４の傾斜を大きくする。すなわち、Ｂ１もＢ２もそれぞれ大きくなるように、かつ、Ｂ１＜Ｂ２の関係式を維持するようにパネル１１４を駆動する。これにより、使用者が稼働中の空気調和機２００を視認した際に、内部の熱交換器１１１等が見えないようにし、高い意匠性を維持することができる。
【００４０】
なお、パネル１１４の動きは上述の動きに限定されるわけではなく、風量を確保するためにＢ１＞Ｂ２となるように、パネル１１４の移動を途中から変更してもよい。すなわち、パネル１１４の駆動経路については、確保する風量や意匠性に併せて適宜変更すればよい。
（実施の形態３）
図４は、本実施形態に係る空気調和機３００の構成の一例を示す断面図である。図４において、実施の形態１と共通の要素については、共通の符号を付している。
【００４１】
空気調和機３００は、図４に示すように、第２の風向板１１５をさらに備えている。本実施例では、第２の風向板１１５は、吹出口１０７の下端に設けられた第２の風向板回転軸１１５ａを中心に回動自在に設けられている。さらに、第２の風向板１１５の上面とスタビライザ１０９の上面が略水平面を形成するように設けられている。そのため、吹出口１０７を通って吹き出される空気は、第２の風向板１１５の上面を沿うように吹き出される。そして、長鎖線で示した下方に設けられた風向板の下流側端部から引いた鉛直線Ｚは、風向板１１３と第２の風向板１１５のうち、下方に設けられた第２の風向板１１５の風下端から鉛直下向きに引いた直線を表している。パネル１１４の上端は、この長鎖線で示した下方に設けられた風向板の下流側端部から引いた鉛直線Ｚより吹出空気の上流側に設けられているため、前述の通り、第２の風向板１１５の上面を沿うように吹き出された空気は、パネル１１４と吸込口１０６により形成される空気の吸込流路に回り込むことはない。したがって、ショートサーキットを効率よく防止できる。
【００４２】
また、第２の風向板１１５は第２の風向板回転軸１１５ａを中心に回動して、風向板１１３が収納される部分よりも内側の領域、つまり点線で囲んだ領域に収納される。そのため、空気調和機３００の運転停止時には、第２の風向板１１５は吹出口１０７の内側に収納され、その部分を風向板１１３が覆い隠す形になる。これにより、空気調和機３００の運転停止時には、風向板１１３とパネル１１４とが正面から見える構造となり、これらの意匠性を高めれば、住空間に圧迫感のない空気調和機を実現できる。
【００４３】
なお、本実施形態は風向板１１３と第２の風向板１１５の位置関係を限定するものではない。つまり、風向板１１３が第２の風向板１１５よりも下方に設けられていてもよいし、第２の風向板回転軸１１５ａが駆動自在に設けられていてもよい。
【００４４】
また、図４にはＢ１＝Ｂ２の実施例を示しているが、Ｂ１＜Ｂ２やＢ１＞Ｂ２といったＢ１≠Ｂ２でもよい。
（実施の形態４）
図５は、本実施形態に係る空気調和機４００の構成の一例を示す断面図である。図５において、実施の形態１と共通の要素については、共通の符号を付している。
【００４５】
空気調和機４００の筐体１０１は、図５に示すように、パネル１１４の上端付近に略水平方向の回転軸１１４ｄを設け、回転軸１１４ｄを中心としてパネル１１４が回転駆動する。吸込対向面の下端１１４ｃと吸込口１０６との対向距離Ｂ３により、対向距離Ｂを、Ｂ＝０．５×Ｂ３で計算される。パネル１１４の上端は正面１０５と略接触するため、吸込対向面の上端１１４ｂと吸込口１０６との距離はほぼ０であり、接触点から、吸込対向面の下端１１４ｃと吸込口１０６との対向距離Ｂ３まで、連続的にパネル１１４の吸込対向面１１４ａと吸込口１０６との距離が増加していく。なお、図１には、パネル１１４が平面で形成されたものを示したが、パネル１１４が曲面で形成されたものを用いてもよい。パネル１１４の吸込対向面１１４ａが曲面の場合には吸込対向面１１４ａと吸込口１０６との距離の略平均を対向距離Ｂとする。
【００４６】
本実施例では、パネル１１４の上端は回転軸１１４ｄにより固定されているため、風向板１１３の風下端部から鉛直下向きに引いた長鎖線で示した下方に設けられた風向板の下流側端部から引いた鉛直線Ｚよりも常に内側にある。また、パネル１１４の上端は回転軸１１４ｄにより隙間もほとんどない。したがって、吹出口１０７から吹き出された空気は、吸込口１０６側に回り込むことがなく、ショートサーキットを生じさせない構造をとることができる。
【００４７】
また、前述の定義により定まった対向距離ＢについてＢ／Ａ＞０．２５の領域でパネル１１４を駆動することにより、騒音や風量の変化による影響を抑えることができ、空気調和機１００を使用する際やパネル１１４の駆動時においてクロスフローファン１０８により生じる騒音を防止でき、安定した風量で運転することできるという効果が得られる。
【００４８】
なお、パネル１１４の略下端に吸込対向面の上端１１４ｂの回転軸を設け、により回動自在に固定し、吸込対向面の上端１１４ｂの回転軸を中心としてパネル１１４が回転駆動してもよい。
【産業上の利用可能性】
【００４９】
本発明に係る空気調和機は、ショートサーキットを防止して、効率良くクロスフローファンが通風する空気量を増加できることから、家庭用空調や業務用空調に用いるのに好適である。
【符号の説明】
【００５０】
１００、２００、３００、４００    空気調和機
１０１                            筐体
１０２                            背面
１０３                            側面
１０４                            上面
１０５                            正面
１０６                            吸込口
１０７                            吹出口
１０８                            クロスフローファン
１０９                            スタビライザ
１０９ａ                          舌部
１１０                            リアガイダ
１１１                            熱交換器
１１２                            水受皿
１１３                            風向板
１１３ａ                          風向板回転軸
１１４                            パネル
１１４ａ                          吸込対向面
１１４ｂ                          吸込対向面の上端
１１４ｃ                          吸込対向面の下端
１１４ｄ                          回転軸
１１５                            第２の風向板
１１５ａ                          第２の風向板回転軸
Ａ                                吸込口間距離
Ｂ、Ｂ１、Ｂ２、Ｂ３              対向距離
Ｚ                                風向板の下流側端部から引いた鉛直線
【図１】
2020041715.tif 000003
【図２】
2020041715.tif 000004
【図３】
2020041715.tif 000005
【図４】
2020041715.tif 000006
【図５】
2020041715.tif 000007
【図６】
2020041715.tif 000008